(57)【要約】      （修正有）【課題】収容物を整理よく収納するランドセル用前ポケット部を提供する。【解決手段】主収納部５、副収納部７および前ポケット部９からなるランドセル本体２において、前記前ポケット部９は、表面に任意模様を施した装飾面を有した一対のポケット裏地の間に設けたポケット部の上方に開口部１３を有した主ポケット１１と、表面に任意模様を施した装飾面を有した中裏地と前記ポケット裏地との間に設けたポケット部に連通する開口部２２を中裏地と表地との間に設けた中ポケット１７と、前記中裏地と表地との間に設けたポケット部の挿入口を前記中ポケット１７の中裏地に設けて出し入れ可能に形成した記名ポケット２５とからなることを特徴とする。【選択図】図１
0003191652.tif 000002
【実用新案登録請求の範囲】
【請求項１】
主収納部（５）、副収納部（７）および前ポケット部（９）からなるランドセル本体（２）において、
表面に任意模様を施した装飾面（１６ａ）、（１６ｂ）を有した一対のポケット裏地（１５ａ）、（１５ｂ）の間にポケット部（１２）を形成し、該ポケット部の上方に設けた開口部（１３）にスライドファスナー（１４）を取付けて開閉可能に形成した主ポケット（１１）と、
表面に任意模様を施した装飾面（１９）を有した中裏地（１８）と前記ポケット裏地（１５ａ）との間に設けたポケット部（１７ａ）に、前記中裏地（１８）と表地（２１）の上方を接着して前記ポケット部（１７ａ）に連通する開口部（２２）にスライドファスナー（２３）を取付けて開閉可能に形成した中ポケット（１７）と、
前記中裏地（１８）と表示窓部（２７）を有した表地（２１）との間に設けたポケット部（２６）に出し入れする挿入口（２０）を前記中裏地（１８）に設けた記名ポケット（２５）と、からなることを特徴とするランドセル用前ポケット部。
【請求項２】
前記表地（２１）に設けた中ポケット部（１７）の開口部（２２）と、記名ポケット（２５）の表示窓部（２７）とをそれぞれ任意形状に組み合わせてなることを特徴とする請求項1記載のランドセル用前ポケット部。
【請求項３】
前記記名ポケット（２５）の表示窓部（２７）は、矩形、ハート型または児童の興味を引く動物、植物、文字や記号などの図形や漫画やアニメーションのキャラクターなどの輪郭形状にしてなることを特徴とする請求項1または２記載のランドセル用前ポケット部。
【請求項４】
前記記名ポケット（２５）は、表地（２１）に設けた表示窓部（２７）の内側にメッシュ状の半透明な窓板（２８）を取付け、該表示窓部からポケット部（２６）に収容した記名板（３３）に表記した学童の時間割表などを表示可能に形成してなることを特徴とする請求項１ないし３のいずれか１記載のランドセル用前ポケット部。
【請求項５】
前記表地（２１）に設けた中ポケット部（１７）の開口部（２２）は、横長の水平方向または斜め方向に形成してなることを特徴とする請求項１または２記載のランドセル用前ポケット部。
【考案の詳細な説明】
【技術分野】
【０００１】
本考案は、ランドセルを構成する前ポケットの改良に関するものである。
【背景技術】
【０００２】
ランドセルは、教科書やノートなどを収納する主収納部と各種教材を収容する副収納部と小物などを収容する前ポケットを皮革または合成皮革などにより形成し、前記前ポケットは、収容物の落下や収容した収容物の紛失などを防止する開口部にスライドファスナーを取付けて開閉可能に形成し、前板部の中央に設けた表示窓部は、裏面にランドセル使用者の名前、学年、組などを表記した記名板を収納するポケット部を設けてある。
【０００３】
したがって、ランドセルの前ポケットに関する発明、考案の多くは、開口部を素早く自動的に開けるための付勢手段を設けたものや、前ポケットの開口部に取付けたスライドファスナーの両端にマチ部を設けて開口部の全長より長くすることにより広く開口することができるものなどが知られている。
【先行技術文献】
【特許文献】
【０００４】
【特許文献１】特開２００５−３４２０１３号
【特許文献２】実用新案登録第３１３９１６５号
【０００５】
前記前ポケット部は、左右両側マチ部の上半分と上面とを大きく広げて形成した開口部にスライドファスナーを取付けて収容物の出し入れを容易にしてあるが、主収納室や副収納室に比べ開口部が狭く深いため、小さいものや薄いものを収容した場合に探すが大変である。探すときに目的物だけでなく、他の収容物も一緒に出てきたり、また、一旦収容物を取り出してからでないと目的のものを探すことができないなど不便である。さらに、前ポケット部は、スライドファスナーで開口部を閉口して内部を見えなくしてあることから、裏地はボール紙に合成樹脂材を含浸させて形成した補強芯板や合成皮革の裏地がそのまま露出した状態で形成されている。そのため、ランドセルの外観はよくても前ポケット部の内側は、生地が露出しているため見た目が悪く、収容物の取り出しが面倒で、且つ、ほこりやチリが溜まりやすくきれいに掃除することが困難であるなどの問題点を有している。
【考案の概要】
【考案が解決しようとする課題】
【０００６】
本考案が解決しようとする課題は、前ポケット部全体の厚さを従来とほとんど変えずに収納ポケットを増やすことにより、収納の利便性を向上させ、前ポケット部の内壁に装飾を設けてランドセルの高級感を向上させ、且つ、内壁面を滑らかにすることによりごみやほこりの付着を防止して掃除を容易にし、前ポケット部の正面側に斬新なデザインの表示窓部と開口部を形成することにより、学童がランドセルに愛着を感じて楽しむことができるランドセルを提供することを目的とする。
【課題を解決するための手段】
【０００７】
上記課題を達成するために本考案は、主収納部５、副収納部７および前ポケット部９からなるランドセル本体２において、表面に任意模様を施した装飾面１６ａ、１６ｂを有した一対のポケット裏地１５ａ、１５ｂの間にポケット部１２を形成し、該ポケット部の上方に設けた開口部１３にスライドファスナー１４を取付けて開閉可能に形成した主ポケット１１と、表面に任意模様を施した装飾面１９を有した中裏地１８と前記ポケット裏地１５ａとの間に設けたポケット部１７ａに、前記中裏地１８と表地２１の上方を接着して前記ポケット部１７ａに連通する開口部２２にスライドファスナー２３を取付けて開閉可能に形成した中ポケット１７と、前記中裏地１８と表示窓部２７を有した表地２１との間に設けたポケット部２６に出し入れする挿入口２０を前記中裏地１８に形成した記名ポケット２５と、からなることを特徴とする。また、前記表地２１に設けた中ポケット部１７の開口部２２と、記名ポケット２５の表示窓部２７とをそれぞれ任意形状に組み合わせてなることを特徴とする。さらに、前記記名ポケット２５の表示窓部２７は、矩形、ハート型または児童の興味を引く動物、植物、文字や記号などの図形や漫画やアニメーションのキャラクターなどの輪郭形状にしてなることを特徴とする。さらにはまた、前記記名ポケット２５は、表地２１に設けた表示窓部２７の内側にメッシュ状の半透明な窓板２８を取付け、前記表示窓部２７からポケット部２６に収容した記名板３３に表記した学童の時間割表などを表示可能に形成してなることを特徴とする。また、前記表地２１に位置する中ポケット部１７の開口部２２は、横長の水平方向または斜め方向に形成してなることを特徴とする。
【０００８】
したがって、前ポケット部９は、上方から出し入れする開口部１３を有した主ポケット１１と、正面側の表地２１と中裏地１８の間に設けた開口部２２から出し入れをする中ポケット１７と、該中ポケットの内側で中裏地１８に設けた挿入口２０から出し入れする記名ポケット２５をそれぞれ設けたことにより、収容物に合わせて分別して各ポケットに整理よく収納して収容物の紛失を防止すると共に出し入れを容易にすることができる。また、主ポケット１１を構成するポケット裏地１５の表面に任意模様をプリントした装飾面１６を設けたことにより、主ポケット１１を開けたときに内壁面全体に装飾が施されているためランドセルに高級感を演出することができる。さらに、ポケット裏地１５の表面に設けた装飾面１９を滑らかにしたことにより収容物の出し入れがスムースで内部の掃除も簡単に行うことができる。さらにはまた、正面表地２１に位置する中ポケット部１７の開口部２２の位置と、表示窓部２７の輪郭を組み合わせて児童が興味を引く斬新なデザインにすることにより、ランドセルの購買意欲を増進させることができる。また、表示窓部２７にメッシュ状の半透明な窓板２８を取付けたことにより、表面に擦り傷が付くのを防止することができる。さらに、窓板２８をメッシュ状に形成したことにより摩擦抵抗を少なくして静電気の発生を減少させ、ごみの付着による表面汚れを防止することができるという利点を有する。
【図面の簡単な説明】
【０００９】
【図１】図１は蓋板を開いたランドセルの斜視図である。
【図２】図２は前ポケット部の拡大正面図である。
【図３】図３は図２のＡ―Ａ線断面図である。
【図４】図４は図３の要部拡大断面図である。
【図５】図５は中裏地に設けた記名ポケットの挿入口を示す裏面図である。
【図６】図６は前ポケット部の分解断面図である。
【考案を実施するための形態】
【００１０】
本考案の実施の形態を図面に基づいて説明すると、図１は蓋板を開いたランドセルの斜視図、図２は前ポケット部の拡大正面図、図３は図２のＡ―Ａ線断面図、図４は図３の要部拡大断面図、図５は中裏地に設けた記名ポケットの挿入口を示す裏面図、図６は前ポケット部の分解断面図である。ランドセル１は、天然皮革または合成皮革などにより形成されたランドセル本体２と、該ランドセル本体２の上面全体を覆う蓋板３５（かぶせ）とにより形成してある。前記ランドセル本体２は、教科書やノートを収納する主収納部５と、各種教材などを収容する副収納部７と各種収容物などを収納する前ポケット部９とにより構成されている。
【００１１】
前記前ポケット部９は、図２、３に示すごとく、上面に設けた開口部１３から出し入れする主ポケット１１と、表地２１の表面に設けた開口部２２から出し入れする中ポケット１７と、前記中ポケット１７の内側に設けた挿入口２０から出し入れをする記名ポケット２５のごとく、それぞれ独立した開口部を設けて収容物を出し入れ可能に形成してある。
【００１２】
前記主ポケット１１は、図３に示すごとく、ポケット部１２を一対のポケット裏地１５ａ、１５ｂと左右両側マチ部２９との間に形成し、前記副収納室７との境をする仕切板部１０の上方に取付けたマチ帯片３１と、ポケット裏地１５ａ、１５ｂの上縁と、中裏地１８の上縁と、表地２１の上縁と、左右両側マチ部２９との上縁に形成した開口部１３に補強芯部３７を介してスライドファスナー１４を取付けて開閉可能に形成してある。
【００１３】
主ポケット１１は、左右両側マチ部２９の上半分を大きく開口したことにより開口部１３を広く開けることができるので、内部に収納する収容物の出し入れを容易にすることができる。また、開口部１３にスライドファスナー１４を取付けて開閉可能に形成したことにより、内部に収納した収容物が落下したり紛失するのを防止することができる。
【００１４】
さらに、主ポケット１１のポケット部１２を構成する一対のポケット裏地１５ａ、１５ｂは、表面に任意模様をプリントしてラミネート加工により滑らかに形成した装飾面１６ａ、１６ｂを設けてある。このポケット裏地１５ａ、１５ｂの表面に装飾面１６ａ、１６ｂを設けたことにより、主ポケット１１を開口したとき、例えば、内面に花柄模様や動物の模様が見えることによりランドセルに高級感を感じさせ、且つ、表面をラミネート加工により滑らかに形成してあるため、内部に収納した収容物の出し入れが容易で、表面にほこりやチリが着きにくいため掃除を簡単に行うことができる。
【００１５】
中ポケット１７は、図４、５に示すごとく、ポケット部１７ａを前記ポケット裏地１５ａと中裏地１８との間に形成し、該ポケット部に連通する開口部２２を中裏地１８と表地２１の上方を重ねて縫着または接着して形成することにより、中裏地１８と表地２１との間に隙間ができるのを防止してポケット部１７ａに連通してある。
【００１６】
この開口部２２は、図２に示すごとく、幅方向を長尺に形成したことにより薄厚で幅広なメモ用紙や紙幣などの紙類を効率的に収容することができる。また、開口部２２にスライドファスナー２３を取付けて開閉可能に形成したことにより、内部に収納した収納物を紛失したり落下したりするのを防止することができる。
【００１７】
前記中ポケット１７を構成するポケット部１７ａの中裏地１８は、表面側に任意模様をラミネート加工により接着することにより表面が滑らかな装飾面１９を設けてある。したがって、中ポケット１７の開口部２２を開けた時、例えば、きれいな花柄模様が内部に見えるとランドセルに高級感を感じさせることができ、且つ、表面が滑らかであることから内部に収容した収容物の出し入れが容易で、且つ、ほこりやチリの掃除を容易に行うことができる。
【００１８】
前記記名ポケット２５は、図３、４に示すごとく、表地２１と中裏地１８との間にポケット部２６を形成し、該ポケット部に連通する挿入口２０を前記中裏地１８の表面にスリット状に形成してある。この記名ポケット２５に記名板３３を出し入れする場合、中ポケット１７の開口部２２から中裏地１８に設けた挿入口２０を介して出し入れ可能にしてある。記名ポケット２５の出し入れ口を二重にすることにより、記名板３３の盗難や紛失を防止することができる。
【００１９】
この記名ポケット２５に収容する記名板３３は、前記したごとく、表地２１の開口部２２から挿入して中裏地１８に設けた挿入口２０を介してポケット部２６に収納し、表地２１に設けた表示窓部２７から記名板３３を表示可能に形成してある。前記記名ポケット２５に収納する記名板３３は、表面にランドセル１の持ち主である学童の時間割表などを表記可能に形成してある。
【００２０】
前記表示窓部２７は、方形、矩形、ハート型または、児童の興味を引く動物、植物、文字や記号などの図形や漫画やアニメーションのキャラクターなどの輪郭形状に形成し、裏面に合成樹脂材からなる通気性を有するメッシュ状の半透明な窓板２８を取付けて内部に収容した記名板３３が脱落するのを防止すると共に、表面側から記名板３３の表記がよく見えるようにしてある。
【００２１】
記名ポケット部２５は、表示窓部２７の周縁に設けたポケット部２６を縫い代部３４によって縫着して形成したことにより、記名板３３がランドセルの移動中に移動することなく、表示窓部２７の内側に位置させることができる。さらには、中ポケット１７の開口部２２の周縁を縫い代部３４によって縫着することにより、収容物が間違って記名ポケット２５に入るのを防止することができる。
【００２２】
以下、本考案の実施形態の作用について説明すると、ランドセル１を構成するランドセル本体２の前ポケット部９は、上方から出し入れする開口部１３を有した主ポケット部１１と、表地２１の正面側に設けた開口部２２から出し入れする中ポケット部１７と、該中ポケット部の中裏地１８に挿入口２０を設けた記名ポケット２５からなり、前ポケット９に収納する収容物の目的にあわせて分別して収納することができる。
【００２３】
主ポケット部１１は、ポケット部１２のポケット裏地１５ａ、１５ｂの表面を滑らかで任意模様を印刷した装飾面１６ａ、１６ｂを設けたことにより、開口部２２を開けた時に内壁面がきれいな装飾模様に見えるのでランドセルに高級感を表現することができ、ランドセルのグレード感をアップさせることができる。さらに、主ポケット１１の内壁面を滑らかにすることにより、出し入れする小収容物が内壁面にひっかからずにスムースに出し入れすることができるので、所望の収容物だけを容易に取り出すことができる。さらにはまた、内壁面が滑らかであることから、ほこりやチリが付きにくく掃除が簡単である。
【００２４】
中ポケット１７は、ポケット裏地１５ａと中裏地１８との間にポケット部１７ａを設け、連通する開口部２２を表地２１と中裏地１８との間に設けてある。そのため、表地２１と中裏地１８との間に設けた開口部２２の周縁を縫い代部３４によって縫着することにより経年変化により開口部付近がほころびて記名ポケット２５と連通するのを防止することができる。また、ポケット裏地１５ａと中裏地１８との間に薄厚で幅広のポケット部１７ａを形成したことにより、内部にメモ用紙や紙幣などの紙類を効率的に収容することができる。さらに、開口部２２にスライドファスナー２３を取付けて開閉可能に形成したことにより、収容物の紛失や落下を防止することができる。
【００２５】
前記中ポケット１７の中裏地１８は、前記ポケット裏地１５と同様に表面を滑らかで任意模様を印刷した装飾面１９を設けたことにより、ランドセルに高級感を表現することができ、また、中ポケット１７に収容する収容物の出し入れがスムースで、ほこりやチリが付きにくく掃除が簡単である。
【００２６】
記名ポケット２５は、ポケット部２６の正面に位置する表示窓部２７に合成樹脂材からなるメッシュ状の半透明な窓板２８を裏面側から取付け、該窓板の裏側に記名板３３を収納可能にしてある。この記名板３３は、表地２１に設けた中ポケット１７の開口部２２から挿入して中裏地１８に設けた挿入口２０から出し入れ可能に形成してある。
【００２７】
記名板３３を収納するポケット２６の挿入口２０は、表地２１の表面側に直接設けずに中ポケット１７の中裏地１８にスリット状に設けて出し入れ口を二重にしたことにより、記名板３３の出し入れが分かりにくくすることから、記名板３３を悪戯されたり盗難されるのを防止してある。
【００２８】
記名板３３は、ボール紙に合成樹脂材を含浸させて圧縮成形した板材を使用したことにより、該板材が折れ曲がるのを防止でき、万一、表示窓部２７から水が入っても記名板３３がふやける恐れがなく安心して使用することができる。記名板３３は、表側にランドセルの持主である学童の時間割表などを表記する記名部を形成し、学童が進級するごとに新しいものに交換することができる。
【００２９】
記名ポケット２５の表示窓部２７に取付ける半透明な窓板２８は、合成樹脂材をメッシュ状に形成した板材を使用したことから、従来の透明フイルム板に比べ軽く、軽量化を図ることができ、また透明フイルム板に比べ表面に擦りキズができにくく目立たないという利点がある。また、窓板２８は、透明フイルム板ではなくメッシュ状に形成したことから摩擦抵抗が少なく、静電気の発生を抑えることができるので、ごみやほこりなどの汚れの吸着を防止することができる。
【００３０】
図１、２示すごとく、前ポケット部９は、中ポケット１７の開口部２２の取付け位置や形状と、記名ポケット２５の表示窓部２７の形状を組み合わせて斬新なデザインに形成することにより、ランドセル全体として児童がランドセルに興味を示し、消費者の購買意欲を増進させることができる。
【００３１】
記名板３３を収容する記名ポケット部２５は、表示窓部２７の周縁と、開口部２２の周縁に縫い代部３４によって縫着して形成したことにより、記名板３３がランドセルの移動中に移動することなく、表示窓部２７の内側に位置させることができる。
【符号の説明】
【００３２】
２      ランドセル本体
５    主収納部
７    副収納部
９    前ポケット部
１１    主ポケット
１２    ポケット部
１３    開口部
１４    スライドファスナー
１５    ポケット裏地
１６    装飾面
１７    中ポケット
１７ａ  ポケット部
１８    中裏地
１９    装飾面
２０    挿入口
２１    表地
２２    開口部
２３    スライドファスナー
２５    記名ポケット
２６    ポケット部
２７    表示窓部
２８    窓板
２９    マチ部
３１    マチ帯部
３３    記名板
３５    蓋板
【図１】
0003191652.tif 000003
【図２】
0003191652.tif 000004
【図３】
0003191652.tif 000005
【図４】
0003191652.tif 000006
【図５】
0003191652.tif 000007
【図６】
0003191652.tif 000008